(57)【特許請求の範囲】
【請求項１】
化粧料を収めるシート状の化粧料収納体であって、
前記化粧料を収納する収納部の壁面を、切抜きの孔で形成する紙製のボードと、
前記ボードの下面に貼り付けられて、前記収納部の底面を形成するシールと、
前記ボード側に塗布された接着剤によって前記ボードの上面に接着されて、前記収納部を封止する第一のフィルムと、
再剥離可能な粘着剤によって前記第一のフィルムの表面のうち前記ボードがある側の反対側の表面に貼り付けられる第二のフィルムと、を備え、
前記第一のフィルムには、前記収納部の周囲を囲む第一の切込みであって、一部が該収納部の側方へ突出しており前記ボードの外周縁よりも内側に形成される凸状部を形成する第一の切込みが設けられている、
シート状の化粧料収納体。
【請求項２】
前記化粧料収納体は、外縁が前記凸状部を囲むように該凸状部に沿って裁断されて、ユーザが折り曲げ可能な、前記ボードによって形成される突出部を有している、
請求項１に記載のシート状の化粧料収納体。
【請求項３】
前記第一のフィルムおよび前記第二のフィルムには、前記凸状部の付け根を挟むように第二の切込みが設けられている、
請求項１または２に記載のシート状の化粧料収納体。
【発明の詳細な説明】
【技術分野】
【０００１】
本発明は、シート状の化粧料収納体に関する。
【背景技術】
【０００２】
化粧料を収納するものには、例えば、特許文献１に示すようにサンプル品を収納するシート状の収納体がある。
【先行技術文献】
【特許文献】
【０００３】
【特許文献１】特開２０００−４３９３９号公報
【発明の概要】
【発明が解決しようとする課題】
【０００４】
シート状の収納体は、形態上の制約から、収納部を再開閉可能な構成とすることが難しい。例えば、再剥離可能な粘着剤を塗布したフィルムで収納部の開口を閉じると、開いた際に収納部内の化粧料がフィルムに付着し、審美性や実用性が損なわれる虞がある。
【０００５】
本発明は、このような課題に鑑みてなされたものであり、審美性および実用性を損なうことなく再開閉可能なシート状の化粧料収納体を提供することを課題とする。
【課題を解決するための手段】
【０００６】
本発明は、収納部を形成する切抜きの孔を形成する紙製のボードの表面に第一のフィルムを接着し、この第一のフィルムに収納部の周囲を囲む第一の切込みを設ける。また、第一のフィルムの表面に、第二のフィルムを再剥離可能な粘着剤で貼り付ける。
【０００７】
詳細には、化粧料を収めるシート状の化粧料収納体であって、前記化粧料を収納する収納部の壁面を、切抜きの孔で形成する紙製のボードと、前記ボードの下面に貼り付けられて、前記収納部の底面を形成するシールと、前記ボードの上面に接着されて、前記収納部を封止する第一のフィルムと、再剥離可能な粘着剤によって前記第一のフィルムの表面に貼り付けられる第二のフィルムと、を備え、前記第一のフィルムには、前記収納部の周囲を囲む第一の切込みであって、一部が該収納部の側方へ突出した凸状部を形成する第一の切込みが設けられている。
【０００８】
上記化粧料収納体であれば、第二のフィルムを第一のフィルムから剥がすと、ボードが紙製なので、第一のフィルムのうち第一の切込みによって囲まれた収納部の周囲を囲む部分が第二のフィルムに貼り付いたままボードから剥がれる。第一のフィルムがボードに接着しているだけなので、収納部に収納された化粧料が第一のフィルムに貼り付いて第一のフィルムと共に収納部から出ることはない。よって、収納部を開いた際に収納部内の化粧料が第一のフィルムに付着して審美性や実用性を損なうこともなく、収納部の開閉を再剥離可能な第二のフィルムで繰り返し行なうことができる。
【０００９】
ここで、前記化粧料収納体は、外縁が前記凸状部を囲むように該凸状部に沿って裁断されて、ユーザが折り曲げ可能な突出部を形成しているものであってもよい。化粧料収納体がこのように構成されていれば、収納部の開閉を行なう場合に突出部を手掛かりに第二のフィルムを第一のフィルムから剥がすことで、第一のフィルムのうち第一の切込みによって囲まれた部分がボードに接着したまま第二のフィルムから剥がれることもなく、収納部をスムーズに開閉することが可能となる。
【００１０】
また、前記第一のフィルムおよび前記第二のフィルムには、前記凸状部の付け根を挟むように第二の切込みが設けられているものであってもよい。化粧料収納体がこのように構成されていれば、第一のフィルムが第二のフィルムと共に剥がされた場合であっても、第一のフィルムのうち再剥離に必要な第一の切込みの外側の部分がボードから剥がれることがない。よって、再剥離可能な粘着剤によって実現される、第一のフィルムの表面に貼り付けられている第二のフィルムによる収納部の再開閉機能が損なわれることが無い。
【発明の効果】
【００１１】
審美性および実用性を損なうことなく再開閉可能なシート状の化粧料収納体を提供することが可能となる。
【図面の簡単な説明】
【００１２】
【図１】シート状の化粧料収納体１の斜視図である。
【図２】化粧料収納体１の構造図である。
【図３】化粧料収納体１の製造プロセスを示す図である。
【図４】化粧料収納体１から化粧料４を取り出すときの状態図である。
【図５】第一の変形例に係る化粧料収納体の上視図である。
【図６】第二の変形例に係る化粧料収納体の上視図である。
【図７】第三の変形例に係る化粧料収納体の上視図である。
【図８】第四の変形例に係る化粧料収納体の上視図である。
【図９】化粧料収納体のうち突出部付近の寸法を詳細に示した図である。
【発明を実施するための形態】
【００１３】
以下、本願発明の実施形態について説明する。以下に示す実施形態は、本願発明の一態様を示すものであり、本願発明は、以下の実施形態に限定されるものではない。
【００１４】
図１は、本実施形態に係るシート状の化粧料収納体１の斜視図である。化粧料収納体１は、図１に示すように、略方形のボード２に形成された収納部３に化粧料４が収納されている。化粧料４は、ファンデーションや口紅など、如何なる化粧料であってもよい。ボード２の長手方向の一端には２つの突出部５が設けられており、他端には２つの切り欠き部６が設けられている。
【００１５】
図２は、化粧料収納体１の構造図である。化粧料収納体１は、図２に示すように、収納部３の壁面７を形成する紙製のボード２と、ボード２の下面に貼り付けられて収納部３の底面８を形成するシール９と、ボード２の上面に接着されて収納部３の開口部を封止する第一のフィルム１０と、再剥離可能な粘着剤によって第一のフィルム１０の表面に貼り付けられた第二のフィルム１１とを備えている。ボード２は、耐油性の紙でできている。収納部３の壁面７は、紙製のボード２を切り抜いた切抜きの孔によって形成されている。
【００１６】
図３は、化粧料収納体１の製造プロセスを示す図である。化粧料収納体１の製造プロセスは、図３（ａ）に示すように、切抜きの孔１２が多数設けられたボード２の上に、第一のフィルム１０を接着する。このとき、ボード２の外縁は裁断されていない。但し、図面の大きさの制約のため、図３では、便宜的に破線で囲んだボード２を図示している。
【００１７】
孔１２が設けられたボード２の上に、第一のフィルム１０が接着されることにより、収納部３の開口部が封止される。第一のフィルム１０をボード２に接着する際は、接着剤をボード２側に塗布しておくことにより、第一のフィルム１０のうち収納部３の部分に接着剤が着かないようにする。第一のフィルム１０のうち収納部３の部分に接着剤が着いてしまうと、収納部３を開いた際に化粧料４が第一のフィルム１０に着いたまま収納部３から
出てしまうため、審美性や実用性が劣る。
【００１８】
次に、図３（ｂ）に示すように、ボード２に接着した第一のフィルム１０に第一の切込み１３を入れる。第一の切込み１３は、３つの孔１２の周囲を囲む切込みであり、一部が側方へ突出した凸状部１４を形成している。凸状部１４は、図３（ｂ）に示すように、先端が斜めに切られて尖っている。
【００１９】
次に、図３（ｃ）に示すように、再剥離可能な粘着剤を塗布した第二のフィルム１１を第一のフィルム１０の上に貼り付ける。粘着剤は、第二のフィルム１１に塗布されて固定されており、第一のフィルム１０を相手材として再剥離するようになっている。また、孔１２に化粧料を充填した後に、ボード２の背面にシール９を貼り付ける。
【００２０】
次に、シール９、ボード２、第一のフィルム１０、及び第二のフィルム１１を、図３（ｄ）に示すような裁断線１５に沿って裁断する。この裁断線１５は、図３（ｄ）に示すように、化粧料収納体１を単に略方形に形成するのみならず、化粧料収納体１の長手方向の端部に２つの突出部５と２つの切り欠き部６を形成する。
【００２１】
最後に、図３（ｅ）に示すように、第一のフィルム１０と第二のフィルム１１のうち突出部５の付け根の部分に第二の切込み１６を入れる。これにより、化粧料４を収納したシート状の化粧料収納体１ができる。以下、化粧料収納体１の使用方法について説明する。
【００２２】
図４は、化粧料収納体１から化粧料４を取り出すときの状態図である。化粧料収納体１から化粧料４を取り出す場合、突出部５を指で折り曲げたりしながら、図４に示すように第二のフィルム１１を第一のフィルム１０から剥がす。
【００２３】
なお、突出部５を必ずしも折り曲げなくても、第二のフィルム１１を第一のフィルム１０から剥がすことは可能であるが、突出部５を折り曲げればボード２に厚みがあるため、第二のフィルム１１が第一のフィルム１０の上で横方向にずれたりすることにより剥がしやすくなる。また、突出部５を折り曲げると、第一のフィルム１０のうち凸状部１４がボード２の上で横方向にずれたりすることにより接着面が剥がれ、第二のフィルム１１を剥がした際に第一のフィルム１０のうち凸状部１４が第二のフィルム１１の粘着力でボード２から剥がれ、第一のフィルム１０のうち第一の切込み１３の内側の部分がボード２に残ったままになりにくい。
【００２４】
また、第一のフィルム１０には第一の切込み１３が入っているため、第二のフィルム１１を第一のフィルム１０から剥がすと、先端が斜めに切られることにより尖っている凸状部１４の先端が第一のフィルム１０に粘着したまま引っ張られる。このため、第一のフィルム１０のうち第一の切込み１３の内側のフィルムが紙製のボード２から剥がれる。なお、仮に第二のフィルム１１が第一のフィルム１０と共に台紙から剥がれた場合でも、第二の切込み１６を境に第一のフィルム１０と第二のフィルム１１とが分離し、第一のフィルム１０がボード２から剥がれない。
【００２５】
第二のフィルム１１を第一のフィルム１０から剥がして収納部３を開くと、化粧料４を取ることができる。第二のフィルム１１は、再剥離可能な粘着剤によって第一のフィルム１０の表面に貼り付けられているため、化粧料４を取り終えた後に第二のフィルム１１を再び第一のフィルム１０の表面に貼り付けることにより、収納部３の開口部を封止することができる。従って、収納部３内の化粧料４を複数回に分けて使用することができる。
【００２６】
上記化粧料収納体１は、シート状であるため、外出の際の化粧品類の携行に好適である。また、再剥離可能な粘着剤によって貼り付けられた第二のフィルム１１によって収納部
３を開閉可能であるため、収納部３内の化粧料を使い捨てでなく複数回に渡って使用することが可能である。すなわち、例えば、第二のフィルム１１が存在せず、収納部３が第一のフィルム１０で封止されている場合、収納部３を一旦開いてしまうと再び封止することができない。しかし、第二のフィルム１１が第一のフィルム１０に粘着していれば、収納部３を再び封止することができる。
【００２７】
また、第一のフィルム１０を再剥離可能な粘着剤でボード２に貼り付けた場合、収納部３の化粧料４が第一のフィルム１０に貼り付いて審美性を損なうし、第一のフィルム１０のうち収納部３の部分だけ粘着剤が付かないように塗布することは製造コストの増大を招くが、本実施形態のように第一のフィルム１０と第二のフィルム１１を併用することにより、これらの問題を解決できる。
【００２８】
また、第一の切込み１３に凸状部１４を設けない場合、第一のフィルム１０とボード２との間の接着力の関係で、第一のフィルム１０のうち第一の切込み１３の内側の部分がボード２から剥がれないことがあり、第二のフィルム１１を剥がしても収納部３の化粧料４を取り出すことができない虞がある。しかし、本実施形態に係る化粧料収納体１では、ボード２に接着された第一のフィルム１０が、第二のフィルム１１の粘着剤の粘着力でボード２から剥がれやすいように凸状部１４が設けられているため、第二のフィルム１１を第一のフィルム１０から剥がした場合に、第一のフィルム１０のうち第一の切込み１３の内側がボード２に残ってしまうことが起こりにくい。
【００２９】
なお、上記化粧料収納体１は、例えば、図５や６に示すように、突出部５や凸状部１４が各収納部３に個別に設けられていてもよい。あるいは、図７に示すように、６つの収納部３に対して一つの突出部５や凸状部１４が設けられていてもよい。上記化粧料収納体１がこのように変形されていても、収納部３内の化粧料を使い捨てでなく複数回に渡って使用することができる。
【００３０】
また、上記化粧料収納体１は、ボード２に各種の印刷を施すことが可能であるため、次のように変形することもできる。本変形例に係る化粧料収納体１ｘを図８に示す。この化粧料収納体１ｘは、図８に示すように、スティックタイプの口紅が２本並んで見えるように構成されている。スティックタイプの口紅のうちユーザが掴む容器部分がシート２ｘに印刷されており、口紅部分が収納部３ｘ内の化粧料４ｘ（紅）で表されている。そして、化粧料収納体１ｘは、上記化粧料収納体１と同様、突出部５ｘからフィルムを剥がすことにより、凸状部１４ｘから第一の切込み１３ｘに沿って第一のフィルムが剥がれる。これにより、収納部３ｘ内の化粧料４ｘを複数回に渡って取り出すことが可能である。
【００３１】
本変形例に係る化粧料収納体１ｘによれば、スティックタイプの口紅が２本並んで見えるように構成されているため、商品としての訴求効果が高まると共に、収納部３ｘ内の化粧料４ｘ（紅）を繰り返し使うことができる。なお、図８では、スティックタイプの口紅が２本並んで見えるように構成されていたが、１本であってもよいし、３本以上であってもよい。また、各収納部３ｘ内に収納される化粧料４ｘは、互いに同色であってもよいし異色であってもよい。
【００３２】
なお、上記化粧料収納体１の各部の寸法は、例えば、以下のようにすると、収納部３の開閉がより確実に行なえる。図９は、化粧料収納体１のうち、特に突出部５付近の寸法を詳細に示した図である。図９において、符号ａは４〜５ｍｍ、符号ｂは１〜２ｍｍ、符号ｃは１０〜１４ｍｍ、符号ｄは１０〜１５ｍｍ程度とする。なお、ボード２の厚さは１．２ｍｍとする。突出部５付近の寸法がこのようになっていると、ユーザが化粧料４を取り出す際に、突出部５から第二のフィルム１１を剥がしやすい。また、第一の切込み１３の内側の部分がボード２に残ったままになりにくい。もっとも、これらの寸法例は、上記実
施形態に係る化粧料収納体１の一態様であり、本発明は、このような寸法例に限定されるものではない。
【符号の説明】
【００３３】
１・・化粧料収納体，２・・ボード，３・・収納部，４・・化粧料，５・・突出部，６・・切り欠き部，７・・壁面，８・・底面，９・・シール，１０・・第一のフィルム，１１・・第二のフィルム，１２・・孔，１３・・第一の切込み，１４・・凸状部，１５・・裁断線，１６・・第二の切込み
【図１】
0005788682.tif 000002
【図２】
0005788682.tif 000003
【図３】
0005788682.tif 000004
【図４】
0005788682.tif 000005
【図５】
0005788682.tif 000006
【図６】
0005788682.tif 000007
【図７】
0005788682.tif 000008
【図８】
0005788682.tif 000009
【図９】
0005788682.tif 000010